(57)【要約】【課題】高い滑り止め効果が得られる凸部を有する筆記具のグリップを簡単な構造で提供する。【解決手段】本発明は、筆記具のグリップであって、グリップの表面に、細長形状で、長手方向が前記グリップの軸方向に対して傾斜した第１凸部または第１凹部からなる複数の第１単位部と、前記第１単位部と同形状の細長形状で、長手方向が、前記第１単位部と方向を異にする第２凸部または第２凹部からなる複数の第２単位部とを備え、前記第１単位部は、同一ピッチにて、適宜間隔を有して前記軸方向に配列された第１列を形成しており、前記第２単位部は、前記第１列と同一ピッチにて、適宜間隔を有して前記軸方向に配列された第２列を形成しており、前記第１列と前記第２列とは前記グリップの周方向に交互に繰り返し、前記軸方向にずれて配列されるとともに、前記隣接する２つの第１単位部の一方の長手方向端部間に、前記第２単位部の一方の長手方向端部が位置する。【選択図】図１
2010274438.tif 000002
【特許請求の範囲】
【請求項１】
筆記具の軸筒の把持部に装着する軟質材からなる筆記具のグリップであって、前記グリップの表面に、細長形状で、長手方向が前記グリップの軸方向に対して傾斜した第１凸部または第１凹部からなる複数の第１単位部と、前記第１単位部と同形状の細長形状で、長手方向が、前記第１単位部と方向を異にする第２凸部または第２凹部からなる複数の第２単位部とを備え、前記第１単位部は、同一ピッチにて、適宜間隔を有して前記軸方向に配列された第１列を形成しており、前記第２単位部は、前記第１列と同一ピッチにて、適宜間隔を有して前記軸方向に配列された第２列を形成しており、前記第１列と前記第２列とは前記グリップの周方向に交互に繰り返し、前記軸方向にずれて配列されるとともに、前記軸方向において、前記隣接する２つの第１単位部の一方の長手方向端部間に、前記第２単位部の一方の長手方向端部の少なくとも一部が位置することを特徴とする筆記具のグリップ。
【請求項２】
前記第１単位部の一方の長手方向端部と反対側の長手方向端部に、前記軸方向に対して垂直状に延びる第１延設部を一体に形成し、前記第２単位部の一方の長手方向端部と反対側の長手方向端部に、前記軸方向に対して垂直状に延びる第２延設部を一体に形成することを特徴とする請求項１に記載の筆記具のグリップ。
【請求項３】
前記第１単位部のグリップの軸方向に対する傾斜角度が、４５度であることを特徴とする請求項１または２に記載の筆記具のグリップ。
【発明の詳細な説明】
【技術分野】
【０００１】
本発明は、軸筒の把持部に装着する軟質材からなる筆記具のグリップに関する。
【背景技術】
【０００２】
従来から、軸筒の把持部に装着する軟質材からなる筆記具のグリップにおいて、把持した時の滑り止め効果を向上させることを目的として、グリップの表面に凹状または凸状に形成された凹凸部を有する筆記具のグリップはよく知られている。
【０００３】
こうした筆記具にグリップにあって、把持した時の滑り止め効果向上及び把持感触を向上させるために、特開平１０−１８１２７４号公報「筆記具のグリップ」や特開２００３−１５４７８２号「グリップ」等に開示されているように、グリップの表面に溝を形成している筆記具のグリップが開示されている。
【０００４】
また、特開２０００−３２６６８２号公報「筆記具の筆記軸体」では、適度なクッション効果を得るために、溝の形成位置や溝の深さや溝の幅等を特定することが開示されている。
【先行技術文献】
【特許文献】
【０００５】
【特許文献１】特開平１０−１８１２７４号公報
【特許文献２】特開２００３−１５４７８２号公報
【特許文献３】特開２０００−３２６６８２号公報
【発明の開示】
【発明が解決しようとする課題】
【０００６】
ところで、特許文献１〜３のように、溝を形成したグリップにおいてより高い滑り止め効果及び良好な把持感触を得るには、溝を形成することによって得られる板状突起を変形し易く形成することが重要であり、板状突起を変形し易くするためには、溝の幅や深さを大きくすること、あるいは使用する材質を軟らかいものにすることが考えられる。
【０００７】
しかしながら、溝の幅や深さを大きくするには、グリップ外径を大きくする必要があり、このために、小径のグリップ部材では溝の幅や深さを大きくすることは困難であった。また、使用する材質を軟らかいものにするために硬度を特定すると使用できる軟質材が制限されてしまう等の問題があった。
【０００８】
さらに、特許文献１〜３では、板状突起をグリップの円周方向など一定方向に並んで設けられており、板状突起が変形してグリップの軸線方向に倒れ込むことで滑り止め効果を得ているが、グリップの軸方向の抵抗が得られず、グリップの円周方向の一定方向の抵抗しか得られないという問題があった。
【０００９】
本発明の目的は、表面に、高い滑り止め効果が得られる凹凸部を有する筆記具のグリップを簡単な構造で提供することにある。
【課題を解決するための手段】
【００１０】
上記目的を達成するために、本発明は、筆記具の軸筒の把持部に装着する軟質材からなる筆記具のグリップであって、前記グリップの表面に、細長形状で、長手方向が前記グリップの軸方向に対して傾斜した第１凸部または第１凹部からなる複数の第１単位部と、前記第１単位部と同形状の細長形状で、長手方向が、前記第１単位部と方向を異にする第２凸部または第２凹部からなる複数の第２単位部とを備え、前記第１単位部は、同一ピッチにて、適宜間隔を有して前記軸方向に配列された第１列を形成しており、前記第２単位部は、前記第１列と同一ピッチにて、適宜間隔を有して前記軸方向に配列された第２列を形成しており、前記第１列と前記第２列とは前記グリップの周方向に交互に繰り返し、前記軸方向にずれて配列されるとともに、前記軸方向において、前記隣接する２つの第１単位部間に、前記第２単位部の一方の長手方向端部の少なくとも一部が位置することを特徴とする。
【００１１】
また、前記第１単位部の一方の長手方向端部と反対側の長手方向端部に、前記軸方向に対して垂直状に延びる第１延設部を一体に形成し、前記第２単位部の一方の長手方向端部と反対側の長手方向端部に、前記軸方向に対して垂直状に延びる第２延設部を一体に形成することを特徴とする。
【００１２】
更にまた、前記第１単位部のグリップの軸方向に対する傾斜角度が、４５度であることを特徴とする。
【００１３】
本発明の軟質材には、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップ部材として一般的に知られている軟質材のなかから適宜選定して用いることができる。
【００１４】
本願発明の構成によれば、グリップの表面に、細長形状の長手方向が前記グリップの軸方向に対して所定傾斜角度で傾斜して配置した第１単位部を所定ピッチで前記軸方向に配列された第１列と、前記細長形状の前記長手方向が前記軸方向に対して第１単位部とは反対方向に前記所定傾斜角度で傾斜して配置した第２単位部を前記所定ピッチにて前記軸方向に配列した第２列を形成しており、前記第１列と前記第２列とは前記軸方向にずれて配列されているので、前記第１列と前記第１列に対し一方側に隣接する前記第２列との間と、前記第１列と前記第１列に対し他方側に隣接する前記第２列との間とには、軸方向に関して逆方向の矢印状に向くように形成される。
【００１５】
これらの結果、本願発明の構成によれば、前記第１単位部と前記第２単位部とを簡易に配列させたにもかかわらず、グリップに種々の大きさと形状の隙間を形成することが可能になり、グリップを把持する指の面をグリップの任意の位置で円滑に確実になじませることが可能となり、高い滑り止め効果を得ることが可能になる。
【００１６】
また、前記第１列と前記第２列とは前記グリップの周方向に交互に繰り返し、前記軸方向にずれて配列されるとともに、前記軸方向において、前記隣接する２つの第１単位部間に、前記第２凸部の一方の端部が位置することによって、前記第１単位部と前記第２単位部以外のグリップ表面が、軸方向で、非直線的なジグザグ状に残存するために、軸方向において、特に高い滑り止め効果を得ることが可能になる。
【００１７】
また、前記第１単位部の一方の端部に、前記軸方向に対して垂直状に延びる第１延設部を一体に形成してあるので、筆記時等、特にグリップの軸心沿った方向への抵抗力を高めることで、安定した筆記を可能とすることができる。
【図面の簡単な説明】
【００１８】
【図１】本願発明の筆記具のグリップの一実施形態を示す図である。
【図２】図１における筆記具のグリップの一部を示す拡大図である。
【図３】図１におけるＡ−Ａ断面図である。
【図４】筆記具のグリップをノック式筆記具の軸筒に装着した状態を示す縦断面図である。
【発明を実施するための最良の形態】
【００１９】
次に図面を参照しながら、本発明の筆記具のグリップの実施形態を説明するが、本発明は以下の実施形態に限定されるものではない。
【００２０】
図１から３に示す第１の実施形態に係る筆記具のグリップ１は、ショアー硬度がＨｓ（ＪＩＳ  Ａ）７０の不透明のオレフィン系熱可塑性エラストマーを軟質材として用い射出成形で形成したものである。グリップ１はほぼ円筒形状を有する。
【００２１】
本実施形態では、第１単位部はグリップ本体２の表面に細長形状の第１凸部３として形成され、第２単位部はグリップ本体２の表面に細長形状の第２凸部４として形成されている。
【００２２】
第１凸部３は、細長形状の長手方向がグリップ１の軸方向Ｊに対して所定傾斜角度（α）で傾斜して配置されるとともに所定ピッチＰで軸方向Ｊに配列されて第１列Ｌを形成している。また、一方の長手方向端部には、軸方向Ｊに対して略垂直方向に向かって延びる第１延出部３ｂを設けている。
【００２３】
第２凸部４は、細長形状の長手方向が軸方向Ｊに対して、第１凸部３と反対方向に所定傾斜角度（α）で傾斜して配置されるとともに所定ピッチＰで軸方向Ｊに配列されて第２列Ｍを形成している。また、一方の長手方向端部には、軸方向Ｊに対して略垂直方向に向かって延びる第２延出部４ｂを設けている。ピッチＰとは、図１に示すように、軸方向Ｊに隣接する二つの第１凸部３または第２凸部４の間の間隔をいう。
【００２４】
紙面とペン先との間で安定した接触を維持し適度な筆圧を維持する上では、紙面に向かって軸方向Ｊへの把持する際の抵抗を持たせる必要があり、第１延出部３ｂ及び第２延出部４ｂを設けることが好ましい。
【００２５】
尚、所定傾斜角度（α）を軸方向Ｊに対してゼロ度に設定する場合には、グリップ１を把持する指面はグリップ１の主に周方向に抵抗を形成し、所定傾斜角度（α）を軸方向Ｊに対して９０度に設定する場合には、グリップ１を把持する指面はグリップ１の主に軸方向Ｊに抵抗を形成する。これに対して、所定傾斜角度（α）をゼロ度と９０度の間に設定する場合には、周方向のみに単独に抵抗に形成したり軸方向Ｊのみに単独に抵抗に形成したりする場合と異なり、周方向及び軸方向Ｊの双方へグリップ１を把持する際の抵抗を指面に付与することが可能になり、滑り止め効果を全体的に高くすることができる。この意味で、所定傾斜角度（α）をゼロ度と９０度の間に設定することが有利であるが、紙面とペン先との間で安定した接触を維持し適度な筆圧を維持する上では、紙面に向かって軸方向Ｊへの把持する際の抵抗を持たせる必要があり、この観点から所定傾斜角度（α）がより大きいことが好ましい。
【００２６】
一方、実際の筆記時には軸方向Ｊが紙面に対し垂直ではなく筆記角度が生じるため、筆圧は軸方向Ｊに対して平行又は垂直に加わるだけでなく、親指と人差し指が閉じる方向（所定傾斜角度（α）を小さくする方向）へ把持力が加わる。このために、親指と人差し指が閉じる方向へ滑り止め効果を高くするという観点から、所定傾斜角度（α）は大きくしすぎない方がよい。
【００２７】
以上のように、所定傾斜角度（α）を大きくするべきであるという観点と所定傾斜角度（α）を小さくすべきであるという観点との相反する両観点を考慮し、周方向及び軸方向の双方へ適度の抵抗を生じさせる上で適度な所定傾斜角度（α）の大きさを決めるために所定傾斜角度（α）を種々の大きさにして試行実験を行った。この試行実験の結果によれば、個人差等をも考慮すると所定傾斜角度は３０度から６０度の範囲にあることが好ましいことが確認された。また、さらに好ましくは、個人差の要因等が捨象されて前記所定傾斜角度（α）は４５度である。
【００２８】
第１列Ｌと第２列Ｍとは、軸方向Ｊに直交する方向であるグリップ１の周方向に、交互に繰り返してグリップ１の周方向の２個づつ、配設されているため、図１に示されるように、第１列Ｌに対し一方側に隣接する第２列Ｍによって、軸方向Ｊに関し反対方向の矢印状に向くように形成されている。
【００２９】
第１列Ｌを形成する第１凸部３と隣接する第２列Ｍを形成する第２凸部４とは、所定ピッチＰより小さい長さのずれ長さＱ（ピッチＰの半分）だけ軸方向Ｊにずれて配列されている。また、軸方向Ｊで隣接する２つの第１凸部３間に、第２凸部４の第２延出部の反対側の長手方向端部４ａが位置するように配列されていて、軸方向Ｊで隣接する２つの第２凸部４間に、第１凸部３の第１延出部と反対側の長手方向端部３ａが位置するように配列されている。具体的には、軸方向Ｊにおいて同一線上に第１凸部３の一方の長手方向端部３ａ及び第２凸部４の一方の長手方向端部４ａが位置する。
【００３０】
さらに、第１列Ｌを形成する隣接する２つの第１凸部３の軸方向Ｊの間隔Ｎは第１凸部２のグリップ１の基準の表面からの高さＴの２倍よりも大きくあるように設定されている（Ｎ＞２Ｔ）。ここで、間隔Ｎとは、図１に示すように、二つの第１凸部３の対向する内側の端部間の間隔をいう。
【００３１】
このように、第１列Ｌを形成する隣接する２つの第１凸部３の軸方向Ｊの間隔Ｎは第１凸部２の表面からの高さの２倍２Ｔよりも大きくあるので、第１列Ｌを形成する隣接する２つの第１凸部３が指で把持され把持力により変形し向かいあう方向に押し倒された場合においても、隣接する２つの第１凸部３が接触することがないため互いに干渉しあうことがなく、高い滑り止め効果及び安定した把持感触を得ることが可能になる。
【００３２】
本実施形態の構成によれば、第１凸部３と第２凸部４とを簡易に配列させたにもかかわらず、グリップ１に種々の大きさと形状の隙間を形成することが可能になる。そして、グリップ１を把持する指の面をグリップ１の任意の位置や方向で円滑に確実になじませることが可能となり、高い滑り止め効果を得ることが可能になる。
【００３３】
また、第１列と第２列では、第１凸部２及び第２凸部以外のグリップ表面に、軸方向において、非直線的なジグザグ状の陸部が形成されるため、高い滑り止め効果を得ることができる。
【００３４】
さらに、図２において、第１単位部と第２単位部との隙間の領域Ｋを点線で囲んで示すように、領域Ｋはより狭く形成されている。この結果、本実施形態によれば、第１列Ｌを形成する第１凸部３と隣接する第２列Ｍを形成する第２凸部４とは、ピッチＰの半分の長さのずれ長さＱだけ軸方向Ｊにずれて配列されているので、グリップ１に接触する指の表面により快適な把持感触で、高い滑り止め効果を得ることが可能になる。
【００３５】
さらに、第１単位部と第２単位部とが連接した、図示はしていないが、例えば格子状に形成した場合は、第１単位部と第２単位部との連接部（交点）で変形し難い問題が発生するが、本発明では、第１単位部と第２単位部とが隙間を形成して第１列及び第２列を配置しているため、把持感触が良好で、滑り止め効果が高く、第１単位部及び第２単位部の周壁の全周に亘って、様々な角度に対応した滑り止め効果を得ることができる。
【００３６】
次に図４を参照して、上述の実施形態に係る筆記具のグリップ１を装着したノック式ボールペンを示す。
このノック式ボールペンは、前軸５と後軸６を螺着して軸筒本体を形成する。前軸５の把持部は、外径が小径に形成してあり、この把持部に、第１の実施形態に係る筆記具のグリップ１を装着してある。
【００３７】
また、前軸５には、口先部材７を螺着し、口先部材７の後端面と前軸５の段部間に、筆記具のグリップ１を圧縮した状態で保持してある。さらに、軸筒本体内に、インキ収容筒１０の先端部に、ボールペンチップ１１を装着したボールペンレフィルをコイルスプリング１２によって後方に付勢して収納してあり、後軸６内に具備した回転カム９による出没機構によって、ノック体８を押圧することで、ボールペンチップ１０を口先部材７の先端開口部７ａから出没可能としてある。
【００３８】
尚、本実施例では、軸筒本体の把持部に装着するのに、予めグリップを成形して、その後、軸筒本体と装着してあるが、グリップと軸筒本体と２色成形により一体に形成してもよい。
【００３９】
なお、上述の種々の実施形態の説明において、第１単位部と第２単位部の組として、両者が凸部の場合について示したが、両者が凹部であってもよい。
【００４０】
また、グリップ１の形状としては、円筒形状を想定して説明したが、軸方向Ｊに同じ径を有する厳密に円筒形状であることに限定されず、軸方向Ｊに対して半径が多少変動している場合、例えば、樽状等の場合であってもよい。また、円筒形状に限らず、角筒形状であってもよい。
【産業上の利用可能性】
【００４１】
本発明の筆記具のグリップは、筆記体の種類やノック式、キャップ式に限定されることなく、軸筒の把持部に装着する筆記具のグリップとして広く実施可能である。
【符号の説明】
【００４２】
１  筆記具のグリップ
２  グリップ本体
３  第１凸部
３ａ  長手方向端部
３ｂ  第１延出部
４  第２凸部
４ａ  長手方向端部
４ｂ  第２延出部
５  前軸
６  後軸
７  ノック体
８  回転カム
９  ノック体
１０  インキ収容筒
１１  ボールペンチップ
１２  コイルスプリング
α  傾斜角度
Ｊ  軸方向
Ｌ  第１列
Ｍ  第２列
Ｎ  間隔
Ｐ  ピッチ
Ｑ  ずれ長さ
【図１】
2010274438.tif 000003
【図２】
2010274438.tif 000004
【図３】
2010274438.tif 000005
【図４】
2010274438.tif 000006